(57)【特許請求の範囲】
【請求項１】
マーク表示面（３ａ〜５ａ）と，それと反対側に突出する位置決め突起（１０）とを有する第１色合成樹脂成形部（２）を第２色合成樹脂成形部（１）に埋設して，前記マーク表示面（３ａ〜５ａ）を第１色合成樹脂成形部（２）の表面に，前記位置決め突起（１０）を第１色合成樹脂成形部（２）の裏面にそれぞれ露出させてなる二色合成樹脂成形品において，
前記位置決め突起（１０）の外周に，逆すり鉢状の下面（１１ａ）を有して第２色合成樹脂成形部（１）内に埋没する傘状部（１１）を一体に成形したことを特徴する，二色合成樹脂成形品。
【発明の詳細な説明】
【０００１】
【発明の属する技術分野】
本発明は，マーク表示面と，それと反対側に突出する位置決め突起とを有する第１色合成樹脂成形部を第２色合成樹脂成形部に埋設して，前記マーク表示面を第１色合成樹脂成形部の表面に，前記位置決め突起を第１色合成樹脂成形部の裏面にそれぞれ露出させてなる二色合成樹脂成形品に関する。
【０００２】
【従来の技術】
かゝる二色合成樹脂成形品は，例えば特公昭５８−５４６６３号公報に開示されているように，既に知られている。
【０００３】
【発明が解決しようとする課題】
従来のかゝる二色合成樹脂成形品では，万一，第１色合成樹脂成形部及び第２色合成樹脂成形部の接合部に剥離が生ずると，その剥離部に浸入した雨水等の水滴が位置決め突起の周囲を通って第１色合成樹脂成形部の内側に浸入してくる虞がある。
【０００４】
本発明は，かゝる事情に鑑みてなされたもので，第１色合成樹脂成形部及び第２色合成樹脂成形部の接合部に剥離が生じ，その剥離部に雨水等の水滴が浸入しても，位置決め突起の周囲は通過させず，第１色合成樹脂成形部の内側への水滴の浸入を防ぎ得るようにした前記二色合成樹脂成形品を提供することを目的とする。
【０００５】
【課題を解決するための手段】
上記目的を達成するために，本発明は，マーク表示面と，それと反対側に突出する位置決め突起とを有する第１色合成樹脂成形部を第２色合成樹脂成形部に埋設して，前記マーク表示面を第１色合成樹脂成形部の表面に，前記位置決め突起を第１色合成樹脂成形部の裏面にそれぞれ露出させてなる二色合成樹脂成形品において，前記位置決め突起の外周に，逆すり鉢状の下面を有して第２色合成樹脂成形部内に埋没する傘状部を一体に成形したことを特徴する。
【０００６】
尚，前記第１色合成樹脂成形部及び第２色合成樹脂成形部は，後述する本発明の実施例中の黄色のコーションマークプレート及び黒色のキャップにそれぞれ対応する。
【０００７】
この特徴によれば，第１色合成樹脂成形部及び第２色合成樹脂成形部の接合部に剥離が生じ，その剥離部に浸入した水滴が傘状部の外周まで到達しても，その水滴は，傘状部の逆すり鉢状下面１１ａを上ることはできず，したがって位置決め突起の周囲を通過し得ないから，第２色合成樹脂成形部内側への水滴の浸入を防ぐことができる。しかも第２色合成樹脂成形部に埋没した傘状部はアンカ効果を発揮して，第１及び第２色合成樹脂成形部の結合強度を高めることができる。
【０００８】
【実施例の形態】
本発明の実施の形態を，添付図面に示す本発明の一実施例に基づいて説明する。
【０００９】
図１は本発明に係るコーションマークプレート付きキャップを備えた，自動車のブレーキ用リザーバ要部の縦断面図（図２の１−１線断面図），図２は図１の２矢視図，図３は図１の要部拡大図，図４は前記コーションマークプレートの平面図，図５は図４の５−５線断面図である。
【００１０】
先ず，図１〜図３において，自動車のブレーキ作動オイルを貯留するリザーバＲの注油口にキャップ１が螺着される。このキャップ１の上壁にはコーションマークプレート２が，それの複数のマーク表示面３ａ〜５ａを露出した状態で埋設される。コーションマークプレート２は黄色合成樹脂製，キャップ１は黒色合成樹脂製である。複数のマーク表示面３ａ〜５ａは，このリザーバＲがブレーキ用であることを表示し，これにはブレーキ作動オイル以外のものを注入しないよう，看者に注意を喚起するものである。
【００１１】
特に，図４及び図５に示すように，コーションマークプレート２は，円形の第１マーク表示面形成部３と，この第１マーク表示面形成部３を円環状の間隙６を存して囲繞する多角形の第２マーク表示面形成部４と，この第２マーク表示面形成部４を多角環状の間隙７を存して囲繞する第３マーク表示面形成部５と，第１及び第２マーク表示面形成部３，４間を連結すべく周方向等間隔に配置される複数（図示例では２個）の第１リブ８，８と，第２及び第３マーク表示面形成部４，５間を連結すべく周方向等間隔に配置される複数（図示例では８個）の第２リブ９，９…とを黄色合成樹脂をもって一体成形して構成される。その際，第１〜第３マーク表示面形成部３〜５の各上面は第１〜第３マーク表示面３ａ〜５ａとして形成されるが，中心部の第１マーク表示面３ａは，他の面一の第２及び第３マーク表示面４ａ，５ａより一段高く突出するように形成される。また第１リブ８，８及び第２リブ９，９…は，上記第１〜第３マーク表示面３ａ〜５ａから後退した部位に配置される。
【００１２】
第２マーク表示面形成部４には，円環状の間隙６を挟んで対向する一対の円弧状スリット１２，１２が形成され，これらスリット１２，１２と円環状の間隙６との各間の第２マーク表示面形成部４から下方に突出するピン状の位置決め突起１０，１０と，各位置決め突起１０，１０の上端部外周から半径方向に張り出してスリット１２，１２及び円環状の間隙６を横断するように第１及び第２マーク表示面形成部３，４間を連結する傘状部１１，１１とがコーションマークプレート２の下面に一体に成形される。そして各傘状部１１，１１の下面１１ａは逆すり鉢状に形成される。
【００１３】
上記コーションマークプレート２をキャップ１の上壁に埋設するに当たっては，図５に示すように（成形時，図は上下が逆になる），先ず下金型１５の位置決め凹部１５ａに，第１マーク表示面形成部３の突出した第１マーク表示面３ａ側を嵌合してコーションマークプレート２をセットし，次いで上金型１６を閉じて位置決め突起１０，１０を押さえることにより，コーションマークプレート２を保持する。そこで下金型１５及び上金型１６間に画成されるキャップ成形用キャビティ１７に可塑化した黒色合成樹脂を射出してキャップ１を成形する。
【００１４】
この成形時，キャップ１の材料，黒色合成樹脂は，コーションマークプレート２の周囲を囲みながら，第１及び第２リブ８，９や傘状部１１，１１及び位置決め突起１０，１０に殆ど邪魔されることなく，円環状の間隙６，多角環状の間隙７及びスリット１２，１２をスムーズに埋め尽くすことができる。その結果，第１，第２リブ８，９及び傘状部１１，１１はキャップ１内に確実に埋没して隠蔽され，キャップ１の上面側では，上金型１５に密着した第１〜第３マーク表示面３ａ〜５ａが互いに明確に分離した状態で露出することになり，その表示効果を高めることができる。
【００１５】
また位置決め突起１０，１０の上端部外周に形成された傘状部１１，１１は，キャップ１内に埋没することでアンカ効果を発揮して，コーションマークプレート２及びキャップ１間の結合強化に寄与する。
【００１６】
ところで，キャップ１の成形時，下金型１６に当接していた位置決め突起１０，１０の下面はキャップ１の下面に露出することになり，このため，万一，キャップ１及びコーションマークプレート２の接合部に剥離が生ずると，その剥離部に浸入した雨水等の水滴が位置決め突起１０，１０の周囲を通ってキャップ１内に浸入してくる虞があるが，本発明では，位置決め突起１０，１０の上端部外周に一体に成形された傘状部１１，１１の下面１１ａが逆すり鉢状をなしているから，万一，上記水滴が傘状部１１，１１の外周まで浸入してきても，その水滴は逆すり鉢状下面１１ａを上ることはできず，したがって位置決め突起１０，１０の周囲を通過し得ないので，キャップ１内までの水滴の浸入を防ぐことができる。
【００１７】
再び図１及び第２において，位置決め突起１０，１０の露出した下端面の直下には，キャップ１内のブリーザ通路２０の途中に形成した凹部２０ａが配置される。こうすると，仮に前記水滴が傘状部１１，１１及び位置決め突起１０，１０の周囲を通過してしまったとしても，その水滴を凹部２０ａ，２０ａ（同図にはそのうちの一方を示す）で受け止め，リザーバＲ内部への浸入を防ぐことができる。
【００１８】
本発明は，上記実施例に限定されるものではなく，その要旨を逸脱しない範囲で種々の設計変更が可能である。
【００１９】
【発明の効果】
以上のように本発明によれば，マーク表示面と，それと反対側に突出する位置決め突起とを有する第１色合成樹脂成形部を第２色合成樹脂成形部に埋設して，前記マーク表示面を第１色合成樹脂成形部の表面に，前記位置決め突起を第１色合成樹脂成形部の裏面にそれぞれ露出させてなる二色合成樹脂成形品において，前記位置決め突起の外周に，逆すり鉢状の下面を有して第２色合成樹脂成形部内に埋没する傘状部を一体に成形したので，万一，第１色合成樹脂成形部及び第２色合成樹脂成形部の接合部に発生した剥離部に水滴が浸入し，傘状部の外周まで到達しても，その水滴は，傘状部の逆すり鉢状下面１１ａを上ることはできず，したがって位置決め突起の周囲を通過し得ないから，第２色合成樹脂成形部内側への水滴の浸入を防ぐことができる。しかも第２色合成樹脂成形部に埋没した傘状部はアンカ効果を発揮して，第１及び第２色合成樹脂成形部の結合強度を高めることができる。
【図面の簡単な説明】
【図１】本発明に係るコーションマークプレート付きキャップを備えた，自動車のブレーキ用リザーバ要部の縦断面図（図２の１−１線断面図）。
【図２】図１の２矢視図。
【図３】図１の要部拡大図。
【図４】前記コーションマークプレートの平面図。
【図５】図４の５−５線断面図。
【符号の説明】
１・・・・第２色合成樹脂成形部（キャップ）
２・・・・第１色合成樹脂成形部（コーションマークプレート）
３ａ・・・マーク表示面（第１マーク表示面）
４ａ・・・マーク表示面（第２マーク表示面）
５ａ・・・マーク表示面（第３マーク表示面）
１０・・・位置決め突起
１１・・・傘状部
１１ａ・・すり鉢状下面
【図１】
0004405112.tif 000002
【図２】
0004405112.tif 000003
【図３】
0004405112.tif 000004
【図４】
0004405112.tif 000005
【図５】
0004405112.tif 000006